【手続補正書】
【提出日】平成17年2月14日(2005.2.14)
【手続補正１】
【補正対象書類名】明細書
【補正対象項目名】発明の名称
【補正方法】変更
【補正の内容】
【発明の名称】情報コンテンツプリントシステム、課金方法、サーバ、プログラムおよびコンピュータ読み取り可能な記憶媒体
【手続補正２】
【補正対象書類名】明細書
【補正対象項目名】特許請求の範囲
【補正方法】変更
【補正の内容】
【特許請求の範囲】
【請求項１】
情報コンテンツを記憶媒体に記憶するサーバと、
入力された情報コンテンツの印刷処理を行う画像形成装置とからなる情報コンテンツプリントシステムであって、
前記サーバは、通信媒体を介して前記画像形成装置からの前記記憶媒体に記憶されている情報コンテンツへのアクセスを制御するアクセス制御手段と、前記情報コンテンツの利用料金及び前記利用料金に対する課金を管理するコンテンツ課金管理手段とを有し、
前記画像形成装置は、前記コンテンツ課金管理手段により課金される情報コンテンツ利用料金と前記情報コンテンツの印刷処理に対する印刷料金とを合わせたコンテンツプリント料金を課金するコンテンツプリント課金手段を有することを特徴とする情報コンテンツプリントシステム。
【請求項２】
前記画像形成装置は、
前記サーバの記憶媒体に記憶されている情報コンテンツを選択する情報コンテンツ選択手段と、
選択した情報コンテンツを印刷する際の用紙サイズ、カラーモード、印刷枚数を含む印刷モードを指定する印刷モード指定手段と、
前記コンテンツプリント料金を算出する料金算出手段と、
前記料金算出手段により算出したコンテンツプリント料金を表示する料金表示手段とを有し、
前記コンテンツ選択手段で選択した情報コンテンツを前記印刷モード指定手段により指定した印刷モードで印刷する際に課金される料金を、印刷開始前に前記料金算出手段により算出し、算出した料金を前記料金表示手段により表示することを特徴とする請求項１に記載の情報コンテンツプリントシステム。
【請求項３】
前記サーバは情報コンテンツサービス提供者が管理運営するサーバであり、前記画像形成装置は印刷サービス提供者が管理運営する画像形成装置であり、
前記アクセス制御手段は、前記画像形成装置からの前記記憶媒体に記憶されている情報コンテンツへのアクセスから前記印刷サービス提供者を識別し、
前記コンテンツ課金管理手段は、前記画像形成装置による前記情報コンテンツの印刷出力時に、前記アクセス制御手段で識別した印刷サービス提供者に対して情報コンテンツの利用料金を課金し、
前記画像形成装置は、印刷サービスを利用した利用者に対して前記情報コンテンツ利用料金と前記印刷料金との合計金額を課金することを特徴とする請求項１または２に記載の情報コンテンツプリントシステム。
【請求項４】
情報コンテンツを記憶媒体に記憶するサーバと、入力された情報コンテンツの印刷処理を行う画像形成装置とからなる情報コンテンツプリントシステムに用いる課金方法であって、
前記通信媒体を介して前記画像形成装置からの前記記憶媒体に記憶されている情報コンテンツへのアクセスに応じて、前記情報コンテンツの利用料金及び前記利用料金に対する課金を管理するコンテンツ課金管理ステップと、
前記コンテンツ課金管理ステップにより管理される情報コンテンツ利用料金と前記情報コンテンツの印刷処理に対する印刷料金とを合わせたコンテンツプリント料金を課金するコンテンツプリント課金ステップと
を有することを特徴とする課金方法。
【請求項５】
入力された情報コンテンツの印刷処理を行う画像形成装置と通信媒体を介して接続され、前記情報コンテンツを記憶媒体に記憶するサーバであって、
前記通信媒体を介して前記画像形成装置からの前記記憶媒体に記憶されている情報コンテンツへのアクセスを制御するアクセス制御手段と、
前記情報コンテンツの利用料金及び前記利用料金に対する課金を管理するコンテンツ課金管理手段と
を有することを特徴とするサーバ。
【請求項６】
入力された情報コンテンツの印刷処理を行う画像形成装置と通信媒体を介して接続され、前記情報コンテンツを記憶媒体に記憶するサーバにおける処理をコンピュータに実行させるためのプログラムであって、
前記通信媒体を介して前記画像形成装置からの前記記憶媒体に記憶されている情報コンテンツへのアクセスに応じて、前記情報コンテンツの利用料金及び前記利用料金に対する課金を管理する処理をコンピュータに実行させるためのプログラム。
【請求項７】
請求項６に記載のプログラムをコンピュータに読み取り可能に記憶したことを特徴とするコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、情報コンテンツを格納するサーバ上のコンテンツをネットワークを介してプリンタや複写機からプリントし、その際にコンテンツの利用、および、プリント出力に対して課金を行う情報コンテンツプリントシステム、課金方法、サーバ、プログラムおよびコンピュータ読み取り可能な記憶媒体に関するものである。
【手続補正４】
【補正対象書類名】明細書
【補正対象項目名】０００４
【補正方法】変更
【補正の内容】
【０００４】
本発明は上述の問題点にかんがみてなされたもので、コンテンツの印刷を行う際に、そのコンテンツ利用料金とプリント料金とをそれぞれ独立に課金し管理することができる情報コンテンツプリントシステム、課金方法、サーバ、プログラムおよびコンピュータ読み取り可能な記憶媒体を提供することを目的とする。
【手続補正５】
【補正対象書類名】明細書
【補正対象項目名】０００５
【補正方法】変更
【補正の内容】
【０００５】
【課題を解決するための手段】
本発明の情報コンテンツプリントシステムは、情報コンテンツを記憶媒体に記憶するサーバと、入力された情報コンテンツの印刷処理を行う画像形成装置とからなる情報コンテンツプリントシステムであって、前記サーバは、通信媒体を介して前記画像形成装置からの前記記憶媒体に記憶されている情報コンテンツへのアクセスを制御するアクセス制御手段と、前記情報コンテンツの利用料金及び前記利用料金に対する課金を管理するコンテンツ課金管理手段とを有し、前記画像形成装置は、前記コンテンツ課金管理手段により課金される情報コンテンツ利用料金と前記情報コンテンツの印刷処理に対する印刷料金とを合わせたコンテンツプリント料金を課金するコンテンツプリント課金手段を有する。
本発明の課金方法は、情報コンテンツを記憶媒体に記憶するサーバと、入力された情報コンテンツの印刷処理を行う画像形成装置とからなる情報コンテンツプリントシステムに用いる課金方法であって、通信媒体を介して前記画像形成装置からの前記記憶媒体に記憶されている情報コンテンツへのアクセスに応じて、前記情報コンテンツの利用料金及び前記利用料金に対する課金を管理するコンテンツ課金管理ステップと、前記コンテンツ課金管理ステップにより管理される情報コンテンツ利用料金と前記情報コンテンツの印刷処理に対する印刷料金とを合わせたコンテンツプリント料金を課金するコンテンツプリント課金ステップとを有する。
本発明のサーバは、入力された情報コンテンツの印刷処理を行う画像形成装置と通信媒体を介して接続され、前記情報コンテンツを記憶媒体に記憶するサーバであって、前記通信媒体を介して前記画像形成装置からの前記記憶媒体に記憶されている情報コンテンツへのアクセスを制御するアクセス制御手段と、前記情報コンテンツの利用料金及び前記利用料金に対する課金を管理するコンテンツ課金管理手段とを有する。
本発明のプログラムは、入力された情報コンテンツの印刷処理を行う画像形成装置と通信媒体を介して接続され、前記情報コンテンツを記憶媒体に記憶するサーバにおける処理をコンピュータに実行させるためのプログラムであって、前記通信媒体を介して前記画像形成装置からの前記記憶媒体に記憶されている情報コンテンツへのアクセスに応じて、前記情報コンテンツの利用料金及び前記利用料金に対する課金を管理する処理をコンピュータに実行させる。
本発明のコンピュータ読み取り可能な記憶媒体は、前記プログラムをコンピュータに読み取り可能に記憶する。
【手続補正６】
【補正対象書類名】明細書
【補正対象項目名】０００６
【補正方法】変更
【補正の内容】
【０００６】
【発明の実施の形態】
次に、添付図面を参照しながら本発明の情報コンテンツプリントシステム、課金方法、サーバ、プログラムおよびコンピュータ読み取り可能な記憶媒体の実施形態について説明する。